(57)【要約】  複数の放送受信部１０，２０からの各放送番組映像を映像分配部５１により分配して、分配した番組映像のうちの少なくとも１つの番組映像を主画面とし、映像縮小部５２，５３を通して縮小処理した他の番組映像を子画面として映像合成部５４，５５により合成し、合成した主画面及び子画面からなる映像を複数のモニタ９２，９７毎に表示する。
2010073428.tif 000002
【特許請求の範囲】
【請求項１】
放送番組を番組映像として表示する複数のモニタと、
放送番組の放送波を受信し、放送番組データに復調する複数の放送受信部と、
前記複数の放送受信部で復調した各放送番組データから番組映像情報を分離して番組映像に復号するデジタル復号部と、
前記デジタル復号部で復号された番組映像を分配する映像分配部、前記映像分配部で分配した少なくとも１つの番組映像を主画面とし、映像縮小部を通して縮小処理した他の番組映像を子画面として合成し出力する映像合成部を有する映像選択合成部と、
ユーザから前記モニタの操作を受け付ける操作入力部を設け、この操作入力部からの入力に基づいて、前記放送受信部、前記デジタル復号部、前記映像選択合成部の動作を制御して、前記放送受信部で受信した放送番組の映像を前記モニタに表示する制御部とを備えたデジタル放送受信機。
【請求項２】
操作入力部は、複数のモニタ毎の操作を受け付け、この操作入力部からの入力に基づいて、前記モニタに主画面として表示した放送番組を子画面とし、子画面として表示した放送番組を主画面として表示するように切り替える制御部を備えた請求項１記載のデジタル放送受信機。
【請求項３】
放送受信部が受信した放送番組の番組静止画像を蓄積する番組静止画像蓄積部を備え、
制御部は、放送番組を受信していない放送受信部を検出すると、前記放送番組を受信していない放送受信部で順次選局を行い、受信した放送番組の番組静止画像を前記番組静止画像蓄積部に蓄積し、蓄積した前記番組静止画像を所定の順番で読み出し、映像縮小部を通してモニタに子画面として表示することを特徴とする請求項１記載のデジタル放送受信機。
【請求項４】
制御部は、複数の放送受信部で同一の放送番組を受信している場合、1つの放送受信部で受信した映像を同一の放送番組を視聴している複数のモニタに分配するよう映像選択合成部および放送受信部を制御し、受信する必要のなくなった放送受信部で、子画面に表示する放送番組を受信することを特徴とする請求項１記載のデジタル放送受信機。
【請求項５】
制御部は、放送番組を受信していない放送受信部を検出し、子画面で選局可能な番組数を提示することを特徴とする請求項１記載のデジタル放送受信機。
【請求項６】
制御部は、放送番組を受信していない放送受信部を検出し、子画面で表示可能な番組数を提示することを特徴とする請求項１記載のデジタル放送受信機。
【発明の詳細な説明】
【技術分野】
【０００１】
本発明は、子画面表示（ＰｉｎＰ＝Picture in Picture）機能を有しており、複数の放送受信部で選局受信した番組映像を、それぞれ独立に選択表示可能な複数のモニタで表示するデジタル放送受信機に関する。
【背景技術】
【０００２】
子画面表示機能を備えたデジタル放送受信機は、例えば、特許文献１には、２つの放送受信部でそれぞれ選局受信した番組映像のいずれかを縮小して合成し、一つのモニタ画面において、同時に主画面、子画面の映像表示を行うデジタル放送受信機が開示されている。
また、特許文献２には、一つのモニタ上において視認方向による２つの映像表示それぞれに対応した２つの放送受信部が搭載されており、視認方向ごとに選局可能にした技術が開示されている。
また、特許文献３には、複数の子機モニタが放送受信部の使用状態を表示し、この使用状態の表示を確認しながらユーザが選局できる構成が開示されている。
【先行技術文献】
【特許文献】
【０００３】
【特許文献１】特許第３０３７０４１号公報
【特許文献２】特開２００７−４３６５８号公報
【特許文献３】特開２００５−１４３０８１号公報
【発明の概要】
【０００４】
上記特許文献１のデジタル放送受信機で映像信号を分配し、例えば２人の視聴者（視聴者１／視聴者２）がそれぞれ２つのモニタ（モニタ１／モニタ２）でそれぞれ視聴する場合、モニタ１とモニタ２の映像は全く同一のものであり、モニタ１で視聴している視聴者１とモニタ２で視聴している視聴者２の嗜好の違いに対応できないという課題があった。例えば、視聴者１はクイズ番組を見たいが、視聴者２はクイズ番組よりも野球中継が見たい（しかし、クイズの正解は知りたい）と思うような場面に上記デジタル放送受信機では対応できない。
また、上記特許文献２は、２人の視聴者がそれぞれ同時に２つの映像表示を視聴しながら選局操作できるようには構成されていないため、一方の番組を見ている間にもう一方の番組の決定的な場面を見逃すことがあるという課題があった。
また、上記特許文献３は、子機モニタ毎に選局可能に構成されているが、子機モニタに複数の画面表示を行うようには構成されていない。
【０００５】
この発明は上記のような課題を解決するためになされたもので、少なくとも２つの放送受信部で複数のモニタ毎に主画面及び子画面を表示することのできるデジタル放送受信機を得ることを目的とする。
【０００６】
この発明に係るデジタル放送受信機は、放送番組を番組映像として表示する複数のモニタと、放送番組の放送波を受信し、放送番組データに復調する複数の放送受信部と、複数の放送受信部で復調した各放送番組データから番組映像情報を分離して番組映像に復号するデジタル復号部と、デジタル復号部で復号された番組映像を分配する映像分配部、映像分配部で分配した少なくとも１つの番組映像を主画面とし、映像縮小部を通して縮小処理した他の番組映像を子画面として合成し出力する映像合成部を有する映像選択合成部と、ユーザからモニタの操作を受け付ける操作入力部を設け、この操作入力部からの入力に基づいて、放送受信部、デジタル復号部、映像選択合成部の動作を制御して、放送受信部で受信した放送番組の映像をモニタに表示する制御部とを備えたものである。
【０００７】
この発明のデジタル放送受信機は、複数の放送受信部からの各放送番組映像を分配して、分配した番組映像のうちの少なくとも１つの番組映像を主画面とし、映像縮小部を通して縮小処理した他の番組映像を子画面として合成し出力するようにしたので、複数のモニタ毎に主画面と子画面とを表示することができる。その結果、各モニタの視聴者が複数の放送映像を確認することができる。
また、各モニタ毎に主画面の放送番組映像と子画面の放送番組映像とを切り替えることができるので、ユーザが子画面を見て放送番組の内容を確認でき、選局を容易に行うことができる。
【図面の簡単な説明】
【０００８】
【図１】図１は、実施の形態１によるデジタル放送受信機の構成を示すブロック図である。
【図２】実施の形態１によるデジタル放送受信機の映像選択合成部の内部構成を示すブロック図である。
【図３−１】（ａ）複数のモニタで同一番組の受信指示を検出する場合を説明する概略図と、（ｂ）検出後に１つの放送受信部で受信した放送番組を分配し、他の放送受信部が空いている状態を説明する概略図である。
【図３−２】（ａ）一方のモニタ側で子画面表示と子画面の番組選局を指示した場合の動作を説明する概略図と、（ｂ）他方のモニタ側で子画面表示を指示した場合の動作を説明する概略図である。
【図４】メイン画面表示の動作を示すフローチャートである。
【図５】子画面表示の動作を示すフローチャートである。
【図６】第１の放送受信部で受信した番組映像の例を示す図（ａ）及び、第２の放送受信部で受信した番組映像の例を示す図（ｂ）である。
【図７】実施の形態１のデジタル放送受信機における前席モニタ及び後席モニタの表示画面イメージ例を示す図であり、前席モニタの表示画面イメージ（ａ）と後席モニタの表示画面イメージ（ｂ）の図である。
【図８】実施の形態１のデジタル放送受信機において、サブ選局番組を子画面で表示した場合の表示画面イメージを示す図である。
【図９】実施の形態２のデジタル放送受信機の構成を示すブロック図である。
【図１０】実施の形態２のデジタル放送受信機の映像選択合成部の内部構成を示すブロック図である。
【図１１】番組静止画像を蓄積する動作を示すフローチャートである。
【図１２】実施の形態２のデジタル放送受信機における、前席モニタの表示画面イメージ（ａ）と後席モニタの表示画面イメージ（ｂ）の図である。
【図１３】実施の形態４における後席モニタの表示画面のイメージ図である。
【図１４】実施の形態５における前席モニタの表示画面のイメージ図（ａ）と後席モニタの表示画面イメージ図（ｂ）である。
【図１５】実施の形態６におけるモニタの表示画面のイメージ図である。
【図１６】実施の形態７におけるモニタの表示画面のイメージ図である。
【図１７】実施の形態８におけるモニタの表示画面のイメージ図である。
【図１８】実施の形態９におけるモニタの表示画面のイメージ図である。
【発明を実施するための形態】
【０００９】
以下、この発明をより詳細に説明するために、この発明を実施するための形態について、添付の図面に従って説明する。
実施の形態１． 
図１は、デジタル放送受信機１の構成を示すブロック図であり、図２は、デジタル放送受信機１の映像選択合成部５０の内部構成を示すブロック図である。また、図３−１、図３−２は、二つのモニタで同じ番組を表示する場合の動作を説明する概略図であり、図４、図５は、デジタル放送受信機１の動作を示すフローチャートである。
なお、図３−１、図３−２においては、説明を容易にするために、一部構成を省略して示している。
【００１０】
実施の形態１のデジタル放送受信機１は、図１に示すように、複数の受信部として第１の放送受信部１０と第２の放送受信部２０、デジタル復号部３０、音声選択部４０、映像選択合成部５０、第１の出力制御部６０、第２の出力制御部７０、複数の出力部として第１の出力部９０と第２の出力部９５、から構成されており、通常のデジタル放送受信機に備えられた構成とほぼ同様の構成である。
【００１１】
第１の放送受信部１０及び第２の放送受信部２０は、それぞれ、アンテナ１１，２１、チューナ１２，２２、ＯＦＤＭ（Orthogonal Frequency Division Multiplexing）復調部１３，２３から構成されている。
この放送受信部１０，２０は、アンテナ１１，２１がＵＨＦ（Ultra High Frequency）帯の１３〜６２チャンネルで放送される地上デジタルテレビジョン放送波（以下、放送波）のうち、チューナ１２，２２で選局された所望のチャンネルの放送波を受信し、ＯＦＤＭ復調部１３，２３により、放送波をＯＦＤＭ復調してデジタル復号部３０へ送る。
【００１２】
デジタル復号部３０は、デマルチプレクサ３１、オーディオデコーダ３２、グラフィクス作成部３３、ビデオデコーダ３４から構成されている。
デマルチプレクサ３１は、放送番組データとしてパケット化されて送られてきたトランスポートストリーム（Transport Stream、以下、ＴＳと称す）を番組音声情報（オーディオストリーム）と番組映像情報（ビデオストリーム）と放送情報（カルーセル、ＳＩ（Service Information）、ＥＰＧ（Electronic Program Guide）など）とに分離する。
【００１３】
オーディオデコーダ３２は、番組音声情報をデコードし番組音声を出力し、ビデオデコーダ３４は、番組映像情報をデコードし放送番組映像を出力する。また、グラフィクス作成部３３は、放送情報からデータ放送／文字スーパー／番組表等のグラフィクスを作成し出力する。
【００１４】
音声選択部４０は、オーディオデコーダ３２から出力された複数の放送番組音声からの音声を選択して出力するものであり、映像選択合成部５０は、ビデオデコーダ３４から出力された複数の番組映像から選択的に番組映像を合成して、合成された映像を出力部９０，９５ごとに出力する。
【００１５】
映像選択出力部５０は、図２に示すように、映像分配部５１、映像縮小部５２，５３、映像合成部５４，５５から構成されている。
映像分配部５１は、デジタル復号部３０からの放送番組映像を分配し、２つの映像縮小部５２，５３は、制御部８３からの指示により子画面映像（縮小映像）を作成する。
２つの映像合成部５４，５５は、それぞれ映像分配部５１により分配した少なくとも１つの放送番組映像及び映像縮小部５２，５３で縮小処理された番組映像を、主画面、子画面として合成する。
【００１６】
出力制御部６０，７０は、表示制御部６１，７１、音声制御部６２，７２から構成され、音声制御部６２，７２が前席及び後席スピーカ９３，９８へ送る番組音声を制御する。
また、表示制御部６１，７１は、グラフィクス作成部３３で作成されたグラフィクスと映像選択合成部５０からの放送番組映像とを合成してモニタ９２，９７へ出力する。
【００１７】
放送情報蓄積部８２は、デジタル復号部３０によりＴＳから分離した放送情報を蓄積し、制御部８３は、複数の操作部毎の操作を受け付ける操作入力部９１，９６からの信号に基づいてデジタル放送受信機１の全体を制御する。
【００１８】
出力部９０，９５は、実施の形態１においては、それぞれ前席側、後席側に設置されているものとして、前席側出力部９０、後席側出力部９５とする。前席側出力部９０及び後席側出力部９５は、操作入力部９１，９６、遠隔操作のため操作入力部９１，９６へ信号を送るリモコン９１ａ，９６ａ、モニタ９２，９７、スピーカ９３，９８から構成されている。
【００１９】
操作入力部９１，９６は、ユーザからリモコン９１ａ，９６ａ又は操作入力部９１，９６に設けられている図示しない操作ボタンで入力された操作内容を制御部８３へ送信する。
モニタ９２，９７は、出力制御部６０，７０からの放送番組映像を、映像出力として出力し、スピーカ９３，９８は、出力制御部６０，７０からの放送番組音声を、音声出力として出力する。
【００２０】
なお、デジタル放送受信機１の各構成部で用いられるハードウェアは、家庭用のデジタルテレビ受信機と同様であり、例えば、放送受信部１０，２０に相当する部分は、電波の受信回路やチューナやデジタル復調用のＬＳＩ（Large Scale Integration）、デジタル復号部３０は多入力多出力のＭＰＥＧ (Moving Picture Experts Group) 処理用のＬＳＩ、出力制御部６０，７０に相当する部分は、音声出力回路や映像出力回路、操作入力部９１，９６に相当する部分は、リモコン受信回路等、放送情報蓄積部８２に相当する部分は、揮発性メモリや不揮発性メモリ、制御部８３に相当する部分はマイクロコンピュータと揮発性メモリや不揮発性メモリである。
【００２１】
次にデジタル放送受信機１全体の動作について説明する。
地上デジタル放送波は、放送受信部１０，２０を構成する各部により受信される。チューナ１２，２２では放送波の所望のチャンネルを選局し、アンテナ１１，２１により、ＵＨＦ帯の１３〜６２チャンネルで放送される地上デジタルテレビジョン放送波を受信する。受信した放送波は、ＯＦＤＭ復調部１３，２３によりＯＦＤＭ復調され放送番組データとしてのＴＳを出力する。ＴＳはＭＰＥＧ−２規格とＡＲＩＢ（Association of Radio Industries and Businesses：社団法人  電波産業会）標準規格に準拠して映像・音声や放送情報である番組情報やデータ放送、文字スーパー等を多重化したデータ列（ストリーム）である。
【００２２】
以下、ＴＳを区別する場合は放送受信部１０から出力されるＴＳをＴＳ１とし、放送受信部２０から出力されるＴＳをＴＳ２とする。以下、接尾辞としてサフィックス（suffix）ｔｓ１、ｔｓ２を付けることとする。例えば、ＴＳ１から分離された情報は、それぞれオーディオストリームｔｓ１／ビデオストリームｔｓ１／放送情報ｔｓ１とする。ＴＳ２から分離された情報はオーディオストリームｔｓ２／ビデオストリームｔｓ２／放送情報ｔｓ２とする。ただし、区別する必要がない場合はサフィックスを付加しない。
【００２３】
デジタル復号部３０では、複数の放送受信部１０，２０で復調した各放送番組データからモニタ９２，９７で表示可能な形式の番組映像等に復号する。
まず、デマルチプレクサ３１によりＴＳ１及びＴＳ２内に多重化されている情報が解析され、番組音声情報、番組映像情報、放送情報に分離される。
【００２４】
デマルチプレクサ３１で分離した放送情報は、制御部８３に入力され、データ加工された後に放送情報蓄積部８２に蓄積される。グラフィクス作成部３３では蓄積された放送情報が読み出され、番組表やデータ放送画面や文字スーパーなどのグラフィクスが作成される。オーディオデコーダ３２では、デマルチプレクサ３１で分離されたオーディオストリームｔｓ１／オーディオストリームｔｓ２がデコードされ、番組音声ｔｓ１及び番組音声ｔｓ２として出力される。ビデオデコーダ３４では、デマルチプレクサ３１で分離されたビデオストリームｔｓ１及びビデオストリームｔｓ２がデコードされ、番組映像ｔｓ１（図６（ａ））及び番組映像ｔｓ２（図６（ｂ））として出力される。
【００２５】
デジタル復号部３０はＴＳを複数入力することができ、複数の出力先へ番組映像、番組音声、グラフィクスを出力しており、多入力多出力を行うものである。例えば、実施の形態１の場合、２つのＴＳを入力しており、２つの出力先へ出力している。
【００２６】
出力制御部６０，７０では、表示制御部６１，７１で、映像選択合成部５０から出力された映像とグラフィクス作成部３３から出力されたデータ放送、文字スーパー、字幕、ＥＰＧ等に関するグラフィクスやメニュー画面のグラフィクスとの合成が行われ、それぞれモニタ９２，９７に出力される。
なお、メニュー画面のグラフィクスは制御部８３で作成することを想定しているが、グラフィクス作成部３３で行ってもよい。
【００２７】
デジタル復号部３０から出力された番組音声は音声選択部４０に入力され、番組音声ｔｓ１は音声制御部６２に、番組音声ｔｓ２は音声制御部７２に振り分けられる。音声制御部６２、７２で音量調整などの制御が行われた後に、番組音声ｔｓ１は前席スピーカ９３から前席ユーザに出力され、番組音声ｔｓ２は後席スピーカ９８から後席ユーザに出力される。
【００２８】
ここで、まず、出力部９０，９５のモニタ９２，９７で主画面として表示することをメイン表示、他席の出力部のモニタでメイン表示していることを他席メイン表示、モニタに対応する放送受信部でメイン表示の放送番組を選局することをメイン選局、空き放送受信部で子画面として表示する放送番組を選局することをサブ選局と定義する。
また、第１、第２の放送受信部で受信した放送番組映像、かつ、前席モニタ９２、後席モニタ９７でメイン表示される映像を番組映像ｔｓ１，ｔｓ２とする。放送番組映像ｔｓ１，ｔｓ２を縮小処理した映像を子画面映像ｔｓ１ａ，ｔｓ２ａとする。前席モニタ９２に表示される映像を前席モニタ映像９２ａ、後席モニタ９７に表示される映像を後席モニタ映像９７ａと定義する。
【００２９】
まず、複数のモニタ９２，９７で同一放送番組を表示する場合の動作について説明する。
各モニタ９２，９７のユーザから、リモコン９１ａ，９６ａを介して複数のモニタ９２，９７毎に設けられている操作入力部９１，９６にメイン表示およびメイン選局の指示が入力される。図３−１（ａ）に示すように、複数のモニタ９２，９７側で同一の放送番組の選局受信指示がされ、放送受信部１０，２０が同一の放送番組１を受信する場合、制御部８３は、同一番組の選局受信指示を検出する。制御部８３は、同一番組の選局受信指示を検出すると、図３−１（ｂ）に示すように、放送受信部２０による放送番組の受信を中止し、放送受信部１０で受信した放送番組映像を分配して、同一番組を要求しているモニタ９２，９７に分配した放送番組映像を表示するように制御する。このとき、放送受信部２０は、受信を行っていない空きの状態になっている。
【００３０】
この状態の場合に、モニタ９７側で子画面表示の指示及び子画面の番組選局指示（サブ選局）がされると、制御部８３は、図３−２（ａ）に示すように、放送受信部２０に対して受信選局指示の信号を出力し、モニタ９７の主画面として放送番組１を表示するとともに、子画面として放送受信部２０で受信した放送番組２の番組映像を表示する。
また、ここで、モニタ９２側の操作入力部９１で子画面表示の指示がされると、図３−２（ｂ）に示すように、制御部８３は、自動的に放送受信部２０で受信している放送番組２の番組映像をモニタ９２の子画面として表示するように制御する。
【００３１】
このようにして、複数のモニタで同一の放送番組を受信する場合、複数の放送受信部で同一の放送番組を受信することなく、１つの放送受信部での受信した放送番組に統合することで、放送受信部の空きをつくり、空いた放送受信部を他の放送受信部で受信していない番組の受信を行うようにしている。
【００３２】
次に具体的な制御について図４を用いて説明する。
図４に示すように、例えば、後席側出力部９５において、メイン表示が指示されると、まず前席側出力部９０で番組映像を表示しているかどうか、すなわち、第１の放送受信部１０で放送番組を受信しているかを確認する（ステップＳＴ１）。
【００３３】
ステップＳＴ１において、第１の放送受信部１０で受信している場合（ＹＥＳ）は、続いて、受信している放送番組と指示された放送番組とが同一であるかを判定する（ステップＳＴ２）。
【００３４】
ステップＳＴ２において、同一放送番組を受信していると判定した場合（ＹＥＳ）、映像分配部５１により分配した（ステップＳＴ３）受信中の放送番組映像ｔｓ１又はｔｓ２を後席側出力部９５のモニタ９７から出力表示する（ステップＳＴ５）。
【００３５】
ステップＳＴ１において、第１の放送受信部１０が放送番組映像を受信していない場合（ＮＯ）、及び、ステップＳＴ２において、指示された放送番組と第１の放送受信部１０で受信している放送番組ｔｓ１とが同一でないと判定した場合（ＮＯ）は、第２の放送受信部２０へメイン選局を指示し、第２の放送受信部２０により番組映像ｔｓ２を受信する（ステップＳＴ４）。
【００３６】
ステップＳＴ４で受信した放送番組映像ｔｓ１又はｔｓ２を後席側出力部９５のモニタ９７から出力表示する（ステップＳＴ５）。
【００３７】
このように、実施の形態１のデジタル放送受信機１は、複数の放送受信部１０，２０から受信して復号した各放送番組映像を複数のモニタ９２，９７へ分配して表示することで、複数のモニタで同一の放送番組を表示する場合でも、１番組に対して１つの放送受信部があればよく、空いている放送受信部により別の放送番組を受信して複数のモニタ毎に主画面と子画面とを異なる放送番組で表示することができる。
【００３８】
次に、子画面表示の動作について説明する。
図５は、デジタル放送受信機１の子画面表示の動作を示すフローチャート、図６（ａ）は、第１の放送受信部１０が受信している番組映像ｔｓ１の映像例、図６（ｂ）は、第２の放送受信部２０が受信している番組映像ｔｓ２の映像例を示す図である。
また、図７（ａ）、図８（ａ）は、前席モニタ９２の子画面表示中の映像例、図７（ｂ）、図８（ｂ）は、後席モニタ９７の子画面表示中の映像例である。
【００３９】
以下、説明の簡略化のため、後席側出力部９５における表示の具体例を説明する。また、各モニタ９２，９７を前席側と後席側で視聴しているユーザをそれぞれ、前席ユーザ、後席ユーザと記すこととし、前席後席の区別が不要な場合は単にユーザと記す。
【００４０】
図５に示すように、まず、後席ユーザにより、リモコン９６ａを介して操作入力部９６から出力部９５の電源がＯＮされ、後席モニタ９７が図６（ａ）に示すような放送受信部２０からの放送番組映像ｔｓ２をメイン表示映像として表示している（ステップＳＴ１１）。
【００４１】
制御部８３は、子画面表示の指示があるかどうか待機しており（ステップＳＴ１２）、指示があるまで（ＮＯ）は、ステップＳＴ１１の状態を維持する。
【００４２】
ステップＳＴ１２において、例えば後席側出力部９５で子画面表示の指示が行われると（ＹＥＳ）、前席側出力部９０の前席モニタ９２でメイン表示映像を表示しているかどうか、すなわち、第１の放送受信部１０で放送番組が受信されているかを確認する（ステップＳＴ１３）。
【００４３】
ステップＳＴ１３において、放送受信部１０で放送番組映像ｔｓ１を受信している場合（ＹＥＳ）は、映像分配部５１により分配した（ステップＳＴ１４）放送番組映像ｔｓ１を映像縮小部５３へ送る。
【００４４】
映像選択合成部５０は、制御部８３から子画面のサイズ及び子画面配置設定情報を示す子画面情報を取得し（ステップＳＴ１５）、この子画面情報に従って、映像縮小部５３が放送番組映像ｔｓ１を縮小処理して子画面映像ｔｓ１ａを出力する（ステップＳＴ１６）。
【００４５】
映像合成部５５は、後席側出力部９５がメイン表示している放送番組映像ｔｓ２と、ステップＳＴ１６で縮小処理された子画面映像ｔｓ１ａとを、子画面情報に基づいて合成し、合成映像を生成する（ステップＳＴ１７）。
【００４６】
合成映像が、出力制御部７０の表示制御部７１へ送られ、後席モニタ９７により図７（ｂ）に示すように表示される（ステップＳＴ１８）。また、このとき、前席モニタ９２は図７（ａ）に示すように表示されている。
【００４７】
ステップＳＴ１３において、前席モニタ９２の電源がＯＦＦ、すなわち、第１の放送受信部１０で放送番組を受信していない場合、後席側出力部９５からのサブ選局指示として第１の放送受信部１０で放送番組を受信して放送番組映像ｔｓ１を取得（ステップＳＴ１９）した後、ステップＳＴ１５以降の動作を行い、例えば、図８（ａ）のように合成映像９７ａが出力される。また、このとき、前席モニタ９２は、例えば図８（ｂ）に示すように放送番組映像が表示されていない状態である。
【００４８】
なお、前席側出力部９０による子画面表示についても後席側出力部９５と同様に動作するものであり、その動作説明は省略する。
【００４９】
このように、子画面が表示されている場合に、ユーザからの操作に基づいて、モニタに主画面として表示した放送番組を子画面とし、子画面として表示した放送番組を主画面として表示するように切り替えることができる。
【００５０】
例えば、図７（ｂ）のように、後席側出力部９５の後席モニタ９７には、主画面として放送番組映像ｔｓ２、子画面として放送番組映像ｔｓ１ａが表示されている場合、後席モニタ９７に主画面として表示した放送番組映像ｔｓ２と子画面として表示した放送番組映像ｔｓ１ａとを切り替えるように、後席側のユーザによりリモコン９６ａから操作が行われると、放送番組映像ｔｓ１を主画面とし、放送番組映像ｔｓ２を縮小処理した縮小番組映像ｔｓ２ａを子画面として合成し、モニタ９７に表示する。
前席側出力部９０の場合も同様の動作で、主画面に表示した放送番組と、子画面に表示した放送番組とを切り替えることができる。
【００５１】
このように、実施の形態１のデジタル放送受信機１の映像選択合成部５０によれば、番組映像を分配する映像分配部、映像分配部で分配した少なくとも１つの番組映像を主画面とし、映像縮小部を通して縮小処理した他の番組映像を子画面として合成し出力する映像合成部を有する映像選択合成部とを備えたので、同一の放送番組映像を複数のモニタに主画面又は子画面に同時に表示することができる
また、ユーザからの操作に基づいて、モニタに主画面として表示した放送番組を子画面とし、子画面として表示した放送番組を主画面として表示するように切り替えることができるので、ユーザが子画面に表示された放送番組を確認しながら、選局を容易に行うことができる。
【００５２】
なお、実施の形態１では、２つの放送受信部からの２番組の放送番組映像を２つのモニタの主画面及び子画面に表示するように構成したが、モニタは２つに限られるものではなく、１番組の放送番組映像をモニタ数だけ分配する構成であればよく、２つ以上のモニタに主画面及び子画面を同時に表示させることができる。
【００５３】
実施の形態２．
実施の形態１のデジタル放送受信機１は、２つの放送受信部で複数のモニタ毎に主画面及び子画面を表示する構成について説明したが、実施の形態２のデジタル放送受信機１は、３つの放送受信部を設け、２つの放送受信部でモニタ毎に主画面及び子画面を表示させながら、１つの放送受信部で他の放送番組の番組静止画像を蓄積して、蓄積した番組静止画像をモニタ毎に新たな子画面で順次表示させる構成について説明する。
なお、実施の形態１と同様の構成及び動作については、各部に同一の符号を付し、その説明を省略する。
【００５４】
図９は、デジタル放送受信機１の構成を示すブロック図、図１０は、デジタル放送受信機１の映像選択合成部５０の内部構成を示すブロック図、図１１は番組静止画像を蓄積する動作を示すフローチャート、図１２（ａ）は前席モニタ９２の表示画面イメージ、図１２（ｂ）は後席モニタ９７の表示画面イメージである。
【００５５】
図９に示すように、デジタル放送受信機１は、実施の形態１のデジタル放送受信機１の放送受信部１０，２０に加えて、第３の放送受信部１００が設けられている。放送受信部１００は、アンテナ１０１、チューナ１０２、ＯＦＤＭ復調部１０３から構成されており、放送受信部１０，２０と同一の構成である。放送受信部１００からの放送番組データは、放送受信部１０，２０からの放送番組データとともにデジタル復号部３０に送られる。
【００５６】
また、番組静止画像蓄積部８４が設けられており、チューナ１２，２２，１０２のいずかにより順次選局された放送番組映像の静止画像を蓄積するものである。
【００５７】
これら、番組静止画像蓄積部８４と放送受信部１００が設けられた以外は、実施の形態１のデジタル放送受信機とほぼ同じ構成である。
【００５８】
次に動作について説明する。
図１１に示すように、まず、ユーザによりリモコン９１ａ，９６ａを介して操作入力部９１，９６から子画面表示指示されるまで待機し（ステップＳＴ２１）、子画面表示指示されると（ＹＥＳ）、次に、使用していない放送受信部の有無を判定し（ステップＳＴ２２）、放送受信部が使用中（ＮＯ）の場合、この操作が不可である旨の警告をモニタに表示して（ステップＳＴ２３）ステップＳＴ２１に戻る。
【００５９】
ステップＳＴ２２において、放送受信部１０で前席モニタ９２のメイン視聴番組を受信し、放送受信部２０で後席モニタ９７のメイン視聴番組を受信している場合、放送受信部１００は空いている状態となっている。この状態のとき、ステップＳＴ２２において、使用していない放送受信部がある場合（ＹＥＳ）、使用していない放送受信部１００は、チューナ１０２が順次チャンネルを選局するように制御され、アンテナ１０１から選局された放送番組を受信する。受信した放送番組映像ｔｓ３から、ビデオデコーダ３４により静止画像を生成し、選局ごとに静止画像データｔｓ３ｍ（ｍ＝ａ，ｂ，ｃ，・・・）として番組静止画像蓄積部８４に蓄積される（ステップＳＴ２４）。
【００６０】
映像選択合成部５０は、番組静止画像取得完了を示す信号が通知されると（ステップＳＴ２５）、制御部８３を介して番組静止画像蓄積部８４から静止画像データｔｓ３ａを読み出して（ステップＳＴ２６）、子画面設定情報に基づいて縮小処理した番組静止画像ｔｓ３ａ´を作成し子画面表示を行う（ステップＳＴ２７）。
【００６１】
ステップＳＴ２７において、番組静止画像ｔｓ３ａ´を作成するとともに、静止画像データｔｓ３ｂを読み出し、同様に縮小処理を行い番組静止画像ｔｓ３ｂ´を生成してモニタに子画面表示を行う。このようにして、図１２（ａ），（ｂ）の例のように主画面と３つの子画面がモニタ９２，９７に表示される。図１２（ａ）では、３つの子画面のうち、１つの子画面は第２の放送受信部２０から受信した番組映像ｔｓ２の子画面映像ｔｓ２ａであり、他２つの子画面は蓄積された番組映像ｔｓ３の番組静止画像ｔｓ３ａ，ｔｓ３ｂを縮小処理して子画面処理した子画面静止画像ｔｓ３ａ´、ｔｓ３ｂ´を表示している。
【００６２】
また、図１２（ｂ）も同様に、３つの子画面のうち、１つの子画面が第１の放送受信部１０から受信した放送番組映像ｔｓ１の子画面画像ｔｓ１ａであり、２つの子画面は蓄積された放送番組映像ｔｓ３の番組静止画像ｔｓ３ａ，ｔｓ３ｂを子画面処理した子画面静止画像ｔｓ３ａ´、ｔｓ３ｂ´を表示している。
【００６３】
このように、実施の形態２のデジタル放送受信機１は、第３の放送受信部１００及び番組静止画像蓄積部８４を設け、第３の放送受信部１００からの放送番組映像を番組静止画像として蓄積することにより、複数のモニタ毎に受信可能な放送番組を静止画像として子画面表示することができる。
また、受信可能な放送番組を静止画像としてモニタ毎に子画面表示することで、各視聴者が受信可能な放送番組の内容を確認してから選局を行うことができ、各ユーザによるチャンネル選択が容易になる。
【００６４】
なお、実施の形態２では、番組静止画像ｔｓ３ｍをｔｓ３ａ，ｔｓ３ｂを用いて説明したが、モニタに表示するのは、ｔｓ３ａ，ｔｓ３ｂに限られるものではなく、蓄積した番組静止画像を順次表示する構成であればよい。
【００６５】
また、モニタ９２，９７が車載用モニタである場合、表示できる領域が小さいので番組静止画像の要否をユーザ操作により切り換えるようにしてもよい。
【００６６】
また、さらに放送受信部を多くすることで、複数の空いている放送受信部ができ、複数の放送受信部を並列に静止画像取得に使用するように構成できる。
【００６７】
また、実施の形態２においては、２つの出力部で説明したが、３出力部で構成しても良く、３出力部＋３放送受信部で実施した場合、他席メイン視聴中番組子画面表示もしくはサブ選局による子画面表示で２つ以上の子画面を表示することができる。
【００６８】
実施の形態３．
実施の形態２においては、放送番組を受信していない放送受信部１００を用いて、受信可能な放送番組映像ｔｓ３の番組静止画像ｔｓ３ｍを蓄積し、蓄積した番組静止画像ｔｓ３ｍを順次読み出して子画面に表示する構成について説明したが、実施の形態３は、使用していない放送受信部で定期的に番組静止画像を蓄積する例について説明する。
なお、デジタル放送受信機１の構成は、図９、図１０と同様であるので、同一の符号を付し、その詳細な説明は省略する。
【００６９】
制御部８３は、放送受信部１０，２０，１００のいずれかが空いているかどうかを常に判定している。空いている放送受信部がある場合、定期的に１３〜６２チャンネル内の受信可能な全番組を選局し、番組静止画像を取得する。
【００７０】
このように実施の形態３のデジタル放送受信機１によれば、空いている放送受信部がある場合、定期的に番組静止画像を更新するようにしたので、最新の放送番組の内容が把握でき、各ユーザによるチャンネルの選局が容易になる。
【００７１】
実施の形態４．
実施の形態２においては、空いている放送受信部により番組映像を取得し、蓄積した静止画像を子画面表示する例について説明したが、実施の形態４では、放送番組静止画像取得後の空いた放送受信部が、静止画像で表示した番組の番組映像を受信することについて説明する。
【００７２】
図１３は、後席モニタ９７の画面表示の例を示すイメージ図である。
なお、デジタル放送受信機１の構成は、図９、図１０と同様であるので、同一の符号を付し、その詳細な説明は省略する。
【００７３】
デジタル放送受信機１の制御部８３は、図１１のフローチャートにおけるステップＳＴ２５において静止画像の取得が完了した旨の通知に基づいて指示し、グラフィクス作成部３３が選択枠グラフィクスｇ１を作成する。
作成された選択枠グラフィクスｇ１は、表示制御部６１，７１によりモニタ９２，９７画面上に表示され、ユーザによる操作で図１２（ｂ）に示した子画面ｔｓ３ａ´を選択している。
放送受信部１００は選択された子画面ｔｓ３ａ´の放送番組をチューナ１０２により選局し、モニタ９２，９７の子画面の番組静止画像を放送番組映像ｔｓ３に切り替え、図１３に示すように第１の放送受信部１０と第３の放送受信部１００とで受信した２つの放送番組映像を子画面で表示する。
【００７４】
このように、実施の形態４のデジタル放送受信機１によれば、静止画像取得後の空いた放送受信部１００が、選択された静止画像ｔｓ３ａ´の放送番組を選局して、子画面で放送番組映像ｔｓ３を動画として表示するようにしたので、ユーザによる選局が容易になる。
【００７５】
なお、さらに実施の形態２の放送受信部を多くすることで、使用していない放送受信部で表示している番組の選局に使用でき、静止画像を動画像の放送番組映像に変更することができる。
【００７６】
実施の形態５．
実施の形態４においては、静止画像取得後の使用していない放送受信部１００が、選択された静止画像の放送番組を選局するようにした例について説明したが、実施の形態５では、前後席それぞれのモニタ９２，９７で２つの放送番組映像（動画）の子画面を表示する例について説明する。
【００７７】
図１４（ａ）は、前席モニタ９２の画面表示例を示すイメージ図であり、図１４（ｂ）は、後席モニタ９７の画面表示例を示すイメージ図である。
なお、デジタル放送受信機１の構成については、図９、図１０と同一であるため、同一の符号を付し、その詳細な説明は省略する。
【００７８】
前席側出力部９０又は後席側出力部９５でサブ選局が行われると、前後席両側の出力部９０，９５のモニタ９２，９７で表示されている同一の子画面表示について、サブ選局された放送番組映像が表示される。他席側でメイン視聴表示している放送番組映像の子画面とともに、２つの放送番組映像を表示する。
【００７９】
このように、実施の形態５のデジタル放送受信機１によれば、一方の出力部でサブ選局された子画面映像と同一の放送番組映像が子画面表示された場合、サブ選局された番組映像を分配して、もう一方の出力部の子画面表示とするので、１出力部で２つの子画面映像を表示することができ、ユーザが放送番組の内容を把握しやすく選局が容易になる。
【００８０】
実施の形態６．
実施の形態２においては、空いている放送受信部で番組静止画像を取得することについて説明したが、実施の形態６では、放送番組の静止画像を取得する際、取得中であることをモニタ９２，９７の画面に表示する例について説明する。
【００８１】
図１５は、モニタ９７の表示画面の例を示すイメージ図である。
なお、デジタル放送受信機１の構成については、図９、図１０と同一であるため、同一の符号を付し、その詳細な説明は省略する。
【００８２】
図１５に示すように、放送受信部１００により順次選局された放送番組の静止画像ｔｓ３ａ´、ｔｓ３ｂ´が表示され、３つ目の子画面表示用に静止画像を取得中である場合、グラフィクス作成部３３により、番組静止画像取得中であることを表示するグラフィクスｇ２を作成し、表示制御部６１，７１において映像と合成され、モニタ９２，９７に表示される。
【００８３】
このように実施の形態６のデジタル放送受信機１によれば、番組静止画像取得中であるグラフィクスで示すので、ユーザが容易に番組静止画像取得中であることを把握することができる。
【００８４】
実施の形態７．
実施の形態６においては、番組静止画像の取得中であることを示すグラフィクスを表示する例について説明したが、実施の形態７では、番組静止画像の取得が成功か否かを示すグラフィクスを表示する例について説明する。
【００８５】
図１６は、モニタ９７の表示画面例を示すイメージ図である。
なお、デジタル放送受信機１の構成については、図９、図１０と同一であるため、同一の符号を付し、その詳細な説明は省略する。
【００８６】
図１６に示すように、放送番組の静止画像取得が成功した場合、グラフィクス作成部３３により成功したことを示すグラフィクスｇ３を作成し、表示する子画面静止画像ｔｓ３ａ´にグラフィクスｇ３を重畳する。
【００８７】
また、放送番組の静止画像取得が失敗した場合、グラフィクス作成部３３により失敗したことを示すグラフィクスｇ４を作成し、子画面と同じ大きさのグラフィクスｇ４をモニタ画面上に表示する。
【００８８】
このように、実施の形態７のデジタル放送受信機１によれば、番組静止画像を取得する際に、静止画像の取得状態を表示するので、ユーザが容易に静止画像の取得状態を把握することができる。
【００８９】
実施の形態８．
実施の形態２〜７において、子画面を表示する例について説明したが、実施の形態８では、子画面静止画像の放送番組とメイン表示の放送番組映像とを切り替える例について説明する。
【００９０】
図１７は、モニタ９７の表示画面の例を示すイメージ図であり、図１７（ａ）が切り替え前の表示、図１７（ｂ）が切り替え後の表示である。
なお、デジタル放送受信機１の構成については、図９、図１０と同一であるため、同一の符号を付し、その詳細な説明は省略する。
【００９１】
ユーザによってリモコン９６ａから、番組静止画像の放送番組映像とメイン表示の放送番組映像との切り替え操作指示を受けると、メイン表示の放送番組映像から静止画像を取得し番組静止画像蓄積部８４に蓄積し、蓄積した静止画像に縮小処理を行い子画面ｔｓ３ａ´として表示する。
【００９２】
同時に、番組静止画像の放送番組情報を放送情報蓄積部８２から取得し、放送受信部２０のチューナ２２の選局を変更すると、モニタ９７の後席モニタ映像９７aが図１７（a）から図１７（ｂ）のように切り替わる。
【００９３】
このように、実施の形態８のデジタル放送受信機１によれば、子画面で表示した放送番組静止画像と、主画面で表示した放送番組映像とを、ユーザの操作に基づき切り替えるので、ユーザが子画面で番組の内容を確認してから切り替えることができ、選局を容易に行うことができる。
【００９４】
実施の形態９．
実施の形態１〜８において、空いている放送受信部で別の放送番組を受信し、子画面に表示する構成について説明したが、実施の形態９では、空いている放送受信部の数を表示する例について説明する。
なお、デジタル放送受信機１の構成については、図９、図１０と同一であるため、その詳細な説明は省略する。
【００９５】
図１８は、子画面選局可能な番組数をモニタに表示したイメージ図である。
図１８に示すように、モニタ９７の画面下部には、「２番組までの子画面選局が可能です。」と表示している。これは、例えば、３つの放送受信部１０，２０，１００があり、そのうちの１つの放送受信部２０だけが放送番組を受信し、２つの放送受信部１０，１００は放送を受信していない状態を示している。
【００９６】
まず、制御部８３が空いている放送受信部の数を検出する。制御部８３から送信された検出信号に基づいて、グラフィクス作成部３３が、空いている放送受信部１０，１００の数から「２番組までの子画面選局が可能です。」という表示文を作成する。作成された表示文は表示制御部７１に送られ、表示制御部７１が放送番組映像と表示文を合成する。この合成された放送番組映像をモニタ９７に表示する。
【００９７】
このようにして、実施の形態９のデジタル放送受信機１によれば、制御部８３が放送を受信していない放送受信部を検出し、放送を受信していない放送受信部の数を、子画面での選局が可能な放送番組数としてモニタに表示するので、ユーザ自身が選局可能な放送番組数を把握してから選局を行うようにすることができる。
【００９８】
なお、実施の形態９の例では、子画面で選局可能な放送番組数を表示する例について説明したが、番組映像が分配されていて選局ができない場合に、子画面として表示だけできる番組数をモニタに表示して、ユーザに子画面で表示可能な放送番組を提示する構成にしてもよい。
【００９９】
また、実施の形態９では、モニタ９７に表示文を表示しているが、モニタ９２においても同様の動作により、表示文を表示することができる。
【０１００】
以上のように、本発明のデジタル放送受信機によれば、複数の放送受信部からの各放送番組映像を分配して、分配した番組映像のうちの少なくとも１つの番組映像を主画面とし、映像縮小部を通して縮小処理した他の番組映像を子画面として合成し出力するようにしたので、複数のモニタ毎に主画面と子画面とを表示することができる。その結果、各モニタの視聴者が複数の放送映像を確認することができる。
また、各モニタ毎に主画面の放送番組映像と子画面の放送番組映像とを切り替えることができるので、ユーザが子画面を見て放送番組の内容を確認でき、選局を容易に行うことができる。
【０１０１】
なお、各実施の形態において、前席側出力部９０及び後席側出力部９５と示しているが、前席側、後席側に設置されることに限られるものではなく、適宜設計に応じて設置する場所を決めるものであればよい。
【０１０２】
また、各実施の形態において、モニタ９２，９７の主画面及び子画面で放送番組映像を表示している例について説明しているが、放送情報に含まれるデータ放送を表示するようにしてもよい。
【産業上の利用可能性】
【０１０３】
この発明に係るデジタル放送受信機は、複数のモニタ毎に主画面と子画面とを表示することができる結果、各モニタの視聴者が複数の放送映像を確認することができる。そのため、子画面表示機能を有しており、複数の放送受信部で選局受信した番組映像を、それぞれ独立に選択表示可能な複数のモニタで表示するデジタル放送受信機等に用いるのに適している。
【図１】
2010073428.tif 000003
【図２】
2010073428.tif 000004
【図３−１】
2010073428.tif 000005
【図３−２】
2010073428.tif 000006
【図４】
2010073428.tif 000007
【図５】
2010073428.tif 000008
【図６】
2010073428.tif 000009
【図７】
2010073428.tif 000010
【図８】
2010073428.tif 000011
【図９】
2010073428.tif 000012
【図１０】
2010073428.tif 000013
【図１１】
2010073428.tif 000014
【図１２】
2010073428.tif 000015
【図１３】
2010073428.tif 000016
【図１４】
2010073428.tif 000017
【図１５】
2010073428.tif 000018
【図１６】
2010073428.tif 000019
【図１７】
2010073428.tif 000020
【図１８】
2010073428.tif 000021
【国際調査報告】
2010073428.tif 000022
2010073428.tif 000023
2010073428.tif 000024